(57)【要約】【課題】本発明は、来訪者に対する応答の有無に関わらず、その利便性や防犯性を高めることが可能なインターホンシステムを提供することを目的とする。【解決手段】本発明に係るインターホンシステムは、カメラ１１を備えた戸外機１０と、モニタ２１を備えた戸内機２０と、を有して成るインターホンシステムであって、戸内機２０は、戸外機１０から呼び出しを受けたときにカメラ１１の撮影画像を記録する記録部２４を有して成り、所定の再生操作に応じて、記録部２４に記録されている撮影画像をモニタ２１で再生する構成とされている。【選択図】図１
2008182647.tif 000002
【特許請求の範囲】
【請求項１】
カメラを備えた戸外機と、モニタを備えた戸内機と、を有して成るインターホンシステムであって、前記戸内機は、前記戸外機から呼び出しを受けたときに前記カメラの撮影画像を記録する記録部を有して成り、所定の再生操作に応じて、前記記録部に記録されている撮影画像を前記モニタで再生することを特徴とするインターホンシステム。
【請求項２】
カメラを備えた戸外機と、モニタを備えた複数の戸内機と、前記戸外機と前記複数の戸内機との間に接続され、前記戸外機での呼び出し操作に応じて、前記戸外機と特定の戸内機との接続を確立する構内制御装置と、を有して成る一対多数のインターホンシステムであって、前記戸内機は、前記戸外機から呼び出しを受けたときに前記カメラの撮影画像を記録する記録部を有して成り、所定の再生操作に応じて、前記記録部に記録されている撮影画像を前記モニタで再生することを特徴とするインターホンシステム。
【請求項３】
前記構内制御装置は、前記戸外機で呼び出し操作が行われたときに前記カメラの撮影画像を記録する集中記録部を有して成ることを特徴とする請求項２に記載のインターホンシステム。
【請求項４】
前記カメラは、戸外の様子を常時撮影するものであり、前記記録部は、前記カメラの撮影画像を順次バッファしておき、前記戸内機が前記戸外機から呼び出しを受けた時点を基準として、その前後に得られた所定時間分の撮影画像を記録するものであることを特徴とする請求項１〜請求項３のいずれかに記載のインターホンシステム。
【請求項５】
前記戸外機は、マイクを有して成り、前記記録部は、前記カメラの撮影画像とともに、前記マイクで得られた音声を記録するものであることを特徴とする請求項１〜請求項４のいずれかに記載のインターホンシステム。
【請求項６】
前記戸内機は、前記戸外機から呼び出しを受けたときに前記カメラを起動して戸外の様子を撮影し、その撮影画像を前記記録部で記録する第１の録画モードと、前記カメラを用いて戸外の様子を常時撮影するとともに、前記記録部を用いて前記カメラの撮影画像を順次バッファしておき、前記戸外機から呼び出しを受けた時点を基準として、その前後に得られた所定時間分の撮影画像を記録する第２の録画モードと、を切り替える録画モード切替操作部を有して成ることを特徴とする請求項１に記載のインターホンシステム。
【発明の詳細な説明】
【技術分野】
【０００１】
本発明は、一戸建て住宅やマンション等の集合住宅などで用いられるカメラ付きインターホンシステムに関するものである。
【背景技術】
【０００２】
近年、一戸建て住宅やマンション等の集合住宅では、来訪者に対する応答手段として、カメラ付きインターホンシステムが広く一般に普及し始めている。
【０００３】
なお、上記従来のカメラ付きインターホンシステムは、カメラを備えた戸外機と、モニタを備えた戸内機と、を有して成り、来訪者に対する応答に際して、戸外機のカメラで得られた撮影画像を戸内機のモニタで映し出す構成とされていた。
【０００４】
また、上記に関連する従来技術の一例として、特許文献１には、カメラ付きドアホン子機に人感センサを設け、ドアホン子機の前方を含む近傍箇所に、所定時間、人が存在したときには、モニタテレビ付きインターホン親機に通報を行うようにしたテレビインターホンシステムが開示・提案されている。
【特許文献１】特開平１１−１８０７４号公報
【発明の開示】
【発明が解決しようとする課題】
【０００５】
確かに、上記従来のカメラ付きインターホンシステムを導入することにより、居住者は来訪者の顔を見ながら通話を行い、安全を確かめてから玄関のドアを開けることができるようになる。
【０００６】
しかしながら、上記従来のカメラ付きインターホンシステムでは、来訪者に対する応答時の利便性や防犯性を高める手段として、戸外機のカメラが用いられるに止まっており、居住者の留守時や睡眠時など、来訪者に対して応答をすることができなかった場合には、カメラの撮影画像が何ら活用されることなく破棄されていた。
【０００７】
すなわち、上記従来のカメラ付きインターホンシステムにおいて、戸外機のカメラで得られた撮影画像は、来訪者に対する応答に際して、リアルタイムに戸内機のモニタで映し出されるのみであった。
【０００８】
そのため、上記従来のカメラ付きインターホンシステムでは、例えば、外出先から帰宅した居住者が留守中の来訪者などを確認することはできなかった。
【０００９】
また、上記従来のカメラ付きインターホンシステムでは、不要な呼び出し操作（泥棒の留守確認や子供のいたずらなど）に対して、これを十分に抑止することができなかった。
【００１０】
本発明は、上記の問題点に鑑み、来訪者に対する応答の有無に関わらず、戸外機のカメラで得られる撮影画像を積極的に活用して、その利便性や防犯性を高めることが可能なインターホンシステムを提供することを目的とする。
【課題を解決するための手段】
【００１１】
上記目的を達成すべく、本発明に係るインターホンシステムは、カメラを備えた戸外機と、モニタを備えた戸内機と、を有して成るインターホンシステムであって、前記戸内機は、前記戸外機から呼び出しを受けたときに前記カメラの撮影画像を記録する記録部を有して成り、所定の再生操作に応じて、前記記録部に記録されている撮影画像を前記モニタで再生する構成（第１の構成）とされている。
【００１２】
また、本発明に係るインターホンシステムは、カメラを備えた戸外機と、モニタを備えた複数の戸内機と、前記戸外機と前記複数の戸内機との間に接続され、前記戸外機での呼び出し操作に応じて、前記戸外機と特定の戸内機との接続を確立する構内制御装置と、を有して成る一対多数のインターホンシステムであって、前記戸内機は、前記戸外機から呼び出しを受けたときに前記カメラの撮影画像を記録する記録部を有して成り、所定の再生操作に応じて、前記記録部に記録されている撮影画像を前記モニタで再生する構成（第２の構成）とされている。
【００１３】
なお、上記第２の構成から成るインターホンシステムにおいて、前記構内制御装置は、前記戸外機で呼び出し操作が行われたときに前記カメラの撮影画像を記録する集中記録部を有して成る構成（第３の構成）にするとよい。
【００１４】
また、上記第１〜第３いずれかの構成から成るインターホンシステムにおいて、前記カメラは戸外の様子を常時撮影するものであり、前記記録部は、前記カメラの撮影画像を順次バッファしておき、前記戸内機が前記戸外機から呼び出しを受けた時点を基準として、その前後に得られた所定時間分の撮影画像を記録するものである構成（第４の構成）にするとよい。
【００１５】
また、上記第１〜第４いずれかの構成から成るインターホンシステムにおいて、前記戸外機は、マイクを有して成り、前記記録部は、前記カメラの撮影画像とともに、前記マイクで得られた音声を記録するものである構成（第５の構成）にするとよい。
【００１６】
また、上記第１の構成から成るインターホンシステムにおいて、前記戸外機から呼び出しを受けたときに前記カメラを起動して戸外の様子を撮影し、その撮影画像を前記記録部で記録する第１の録画モードと、前記カメラを用いて戸外の様子を常時撮影すると共に、前記記録部を用いて前記カメラの撮影画像を順次バッファしておき、前記戸外機から呼び出しを受けた時点を基準として、その前後に得られた所定時間分の撮影画像を記録する第２の録画モードと、を切り替える録画モード切替操作部を有して成る構成（第６の構成）にするとよい。
【発明の効果】
【００１７】
本発明に係るインターホンシステムであれば、来訪者に対する応答の有無に関わらず、戸外機のカメラで得られる撮影画像を積極的に活用して、その利便性や防犯性を高めることが可能となる。
【００１８】
例えば、外出先から帰宅した居住者は、留守中に記録された撮影画像を再生することにより、留守中の来訪者などを確認することが可能となる。
【００１９】
また、住居の留守確認を画策している泥棒にとっては、戸内機の呼び出し操作によって自身の姿が録画されることになるので、その留守確認を躊躇させることが可能となる。
【発明を実施するための最良の形態】
【００２０】
図１は、本発明に係るインターホンシステムの第１実施形態を示すブロック図である。
【００２１】
本図に示すように、本実施形態のインターホンシステムは、玄関先に設置された戸外機１０と、室内に設置された戸内機２０と、を有して成る。
【００２２】
戸外機１０は、カメラ１１と、スピーカ１２と、マイク１３と、呼出操作部１４と、制御部１５と、インタフェイス部１６と、を有して成る。
【００２３】
カメラ１１は、レンズ群や光電変換素子（ＣＣＤ［Charge Coupled Devices］或いはＣＭＯＳ［Complementary Metal Oxide Semiconductor］などのイメージセンサ）を備えて成り、被写体の撮影画像（来訪者の顔や姿、玄関先の様子など）を電気的な撮像信号として制御部１５（延いては戸内機２０）に出力する手段である。なお、カメラ１１の撮像信号には、その出力に際して、自動ゲイン制御、相関二重サンプリング、アナログ／ディジタル変換などの信号処理が施される。
【００２４】
スピーカ１２は、制御部１５から入力される音声信号（戸内機２０から伝達される音声信号）に応じて駆動され、居住者の声を来訪者に向けて出力する手段である。
【００２５】
マイク１３は、来訪者の声を収音し、これを電気的な音声信号として制御部１５（延いては戸内機２０）に出力する手段である。
【００２６】
呼出操作部１４は、来訪者が戸外機１０から戸内機２０を呼び出すための操作手段（呼出ボタンなど）である。
【００２７】
制御部１５は、インタフェイス部１６を介して戸内機２０との間でやり取りされる撮像信号や音声信号に対して、所定の変復調処理や多重化処理などを施す手段である。また、制御部１５は、呼出操作部１４で戸内機２０の呼び出し操作（呼出ボタンの押下など）が行われたときに、その旨を戸内機２０に伝達する手段としても機能する。
【００２８】
インタフェイス部１６は、戸外機１０と戸内機２０との間で、撮像信号や音声信号の授受を仲介する手段である。
【００２９】
一方、戸内機２０は、モニタ２１と、スピーカ２２と、マイク２３と、記録部２４と、モード切替操作部２５と、再生操作部２６と、制御部２７と、インタフェイス部２８と、を有して成る。
【００３０】
モニタ２１は、制御部２７から記録部２４を介して入力される撮像信号（戸外機１０から伝達される撮像信号）を映像として表示する手段である。
【００３１】
スピーカ２２は、制御部２７から記録部２４を介して入力される音声信号（戸外機１０から伝達される音声信号）によって駆動され、来訪者の声を居住者に向けて出力する手段である。
【００３２】
マイク２３は、居住者の声を収音し、これを電気的な音声信号として制御部２７（延いては戸外機１０）に出力する手段である。
【００３３】
記録部２４は、バッファ２４ａと、メモリ２４ｂと、を有して成り、戸内機２０が呼び出しを受けたときに、戸外機１０から入力される撮像信号や音声信号（カメラ１１で得られる撮影画像やマイク１３で得られる音声）を記録する手段である。
【００３４】
バッファ２４ａは、制御部２７から入力される撮像信号や音声信号を所定の容量分だけ一時格納しつつ、これをモニタ２１及びスピーカ２２に順次送出する手段である。
【００３５】
メモリ２４ｂは、バッファ２４ａに一時格納されている撮像信号や音声信号を記録するための記録媒体（半導体メモリや小型のハードディスクドライブ装置など）である。
【００３６】
モード切替操作部２５は、居住者が戸内機２０の録画モードを切り替えるための操作手段である。なお、上記の録画モードとして、戸内機２０は、戸外機１０から呼び出しを受けたときにカメラ１１を起動して戸外の様子を撮影し、その撮影画像を記録部２４のメモリ２４ｂで記録する第１の録画モードと、カメラ１１を用いて戸外の様子を常時撮影すると共に、記録部２４のバッファ２４ａを用いてカメラ１１の撮影画像を順次バッファしておき、戸外機１０から呼び出しを受けた時点を基準として、その前後に得られた所定時間分の撮影画像を記録部２４のメモリ２４ｂに記録する第２の録画モードと、を切り替える構成とされている。
【００３７】
再生操作部２６は、居住者が記録部２４に記録されている撮像信号や音声信号の再生を指示するための操作手段である。
【００３８】
制御部２７は、インタフェイス部２８を介して戸外機１０との間でやり取りされる撮像信号や音声信号に対して、所定の変復調処理や多重化処理などを施す手段である。また、制御部２７は、モード切替操作部２５で指定された戸内機２０の録画モードに応じて、カメラ１１の駆動制御を行うように、戸外機１０に指示を送ったり、再生操作部２６における所定の再生操作に応じて、記録部２４に記録されている撮像信号や音声信号を再生するように、記録部２４に指示を送る手段としても機能する。
【００３９】
インタフェイス部２８は、戸外機１０と戸内機２０との間で、撮像信号や音声信号の授受を仲介する手段である。
【００４０】
次に、上記構成から成るインターホンシステムの動作について、詳細な説明を行う。
【００４１】
戸内機２０が第１の録画モードに設定されている場合、戸外機１０のカメラ１１は、ノーマリオフとされており、戸内機２０は、戸外機１０からの呼び出しを受けたときに初めて、戸外機１０にカメラ１１を起動するように指示を送る。このような構成とすることにより、カメラ１１の消費電力を低く抑えることが可能となる。
【００４２】
カメラ１１が起動された後、戸内機２０は、カメラ１１で得られた撮影画像をモニタ２１に表示するとともに、当該撮影画像を記録部２４のメモリ２４ｂで記録する。このように、来訪者に対する応答に際して、戸外機１０のカメラ１１で得られた撮影画像を戸内機２０のモニタ２１で映し出す構成であれば、居住者は来訪者の顔を見ながら通話を行い、安全を確かめてから玄関のドアを開けることができるようになる。
【００４３】
一方、居住者の留守時や睡眠時など、来訪者に対して応答をすることができなかった場合、カメラ１１は停止状態に戻され、バッファ２４ａに一時格納されていたカメラ１１の撮影画像は破棄されるが、メモリ２４ｂに記録されている撮影画像は、そのまま保持されており、再生操作部２６における所定の再生操作に応じて、モニタ２１で任意に再生することが可能である。
【００４４】
このような構成とすることにより、来訪者に対する応答の有無に関わらず、戸外機１０のカメラ１１で得られる撮影画像を積極的に活用して、その利便性や防犯性を高めることが可能となる。
【００４５】
例えば、外出先から帰宅した居住者は、留守中に記録された撮影画像を再生することにより、留守中の来訪者などを確認することが可能となる。
【００４６】
また、住居の留守確認を画策している泥棒にとっては、戸内機の呼び出し操作によって自身の姿が録画されることになるので、その留守確認を躊躇させることが可能となる。
【００４７】
また、本実施形態のインターホンシステムにおいて、戸内機２０の記録部２４では、カメラ１１の撮影画像とともにマイク１３で得られた音声が記録される。このような構成とすることにより、留守中における来訪者の様子をより詳細に把握することが可能となる。
【００４８】
一方、戸内機２０が第２の録画モードに設定されている場合、戸外機１０のカメラ１１では、戸外の様子が常時撮影されており、戸内機２０の記録部２４では、カメラ１１の撮影画像が所定の容量分だけ順次バッファされている。
【００４９】
上記の常時撮影が行われている中、戸内機２０は、戸外機１０から呼び出しを受けたときに、カメラ１１で得られた撮影画像をモニタ２１に表示するとともに、バッファ２４ａに一時格納されている撮影画像のうち、戸外機１０から呼び出しを受けた時点を基準として、その前後に得られた所定時間分（例えば数十秒分）の撮影画像を記録部２４のメモリ２４ｂで記録する。
【００５０】
このように、呼び出しを受けた後の撮影画像だけでなく、呼び出しを受ける前の撮影画像も録画する構成であれば、留守中の来訪者を事後的に確認することができるのはもちろん、不要な呼び出し操作（泥棒の留守確認や子供のいたずらなど）を行った者が、その呼び出し操作の直後に素早くその場を離れた場合であっても、その顔や姿を確実に捉えることができるので、その犯行を事後的に立証する上で重要な証拠を得ることが可能となる。
【００５１】
すなわち、先述した第１の録画モードが留守中における来訪者の事後確認を主目的とした録画モードであるのに対して、第２の録画モードは、カメラ１１を防犯カメラとして積極的に活用する録画モードであると言える。そして、本実施形態のインターホンシステムでは、上記第１、第２の録画モードを任意に切り替えることができるので、居住者の意図する最適な録画動作を実現することが可能となる。
【００５２】
なお、第２の録画モードにおいても、戸内機２０の記録部２４では、カメラ１１の撮影画像とともに、マイク１３で得られた音声が記録される。このような構成とすることにより、留守中における来訪者の様子はもちろん、不要な呼び出し操作の前後における玄関先の様子をより詳細に把握することが可能となる。
【００５３】
また、上記の実施形態では、一戸建て住宅などで用いられる一対一のカメラ付きインターホンシステムに本発明を適用した場合を例に挙げて説明を行ったが、本発明の適用対象はこれに限定されるものではなく、例えば、マンション等の集合住宅などで用いられる一対多数のカメラ付きインターホンシステムにも広く適用することが可能である。
【００５４】
図２は、本発明に係るインターホンシステムの第２実施形態を示すブロック図である。
【００５５】
本図に示すように、本実施形態のインターホンシステムは、カメラ１１を備えた戸外機１０（図１の戸外機１０と同様の構成）と、モニタ２１を備えた複数の戸内機２０（図２の戸内機２０と同様の構成）と、戸外機１０と複数の戸内機２０との間に接続され、戸外機１０での呼び出し操作に応じて、戸外機１０と特定の戸内機２０との接続を確立する構内制御装置３０と、を有して成る一対多数のインターホンシステムであって、戸内機２０は、戸外機１０から呼び出しを受けたときにカメラ１１の撮影画像を記録する記録部２４を有して成り、ユーザの要求に応じて、記録部２４に記録されている撮影画像をモニタ２１で再生する構成とされている。
【００５６】
このような構成とすることにより、一戸建て住宅だけでなく、マンション等の集合住宅においても、先に述べた第１実施形態と同様の効果を享受することが可能となる。
【００５７】
また、本実施形態のインターホンシステムにおいて、構内制御装置３０は、管理人室などに設置されるものであり、戸外機１０で呼び出し操作が行われたときに、カメラ１１の撮影画像を表示するモニタ３１と、その記録を行う集中記録部３２と、を有して成る構成とされている。
【００５８】
このように、各戸室内に設けられる戸内機２０だけでなく、これらを束ねる構内制御装置３０で、統括的にカメラ１０の撮影画像を監視する構成であれば、各戸毎の利便性や防犯性を高めるだけでなく、構内全体の防犯性を高めることが可能となる。
【００５９】
なお、一対多数のインターホンシステムへの適用に際して、戸外機１０に設けられる呼出操作部１４としては、呼出ボタンのほかに、呼び出し先の部屋番号を入力するテンキーや、入力内容をクリアするクリアキーなどを設ける必要がある。また、戸外機１０は、複数の戸内機２０によって共有される設備であるため、複数の戸内機２０毎にモード切替操作部２５を設けることは不適当である。
【００６０】
また、本発明の構成は、上記実施形態のほか、発明の主旨を逸脱しない範囲で種々の変更を加えることが可能である。
【産業上の利用可能性】
【００６１】
本発明は、一戸建て住宅やマンション等の集合住宅などで用いられるカメラ付きインターホンシステムの利便性及び防犯性を高める上で有用な技術である。
【図面の簡単な説明】
【００６２】
【図１】は、本発明に係るインターホンシステムの第１実施形態を示す図である。
【図２】は、本発明に係るインターホンシステムの第２実施形態を示す図である。
【符号の説明】
【００６３】
１０    戸外機
１１    カメラ
１２    スピーカ
１３    マイク
１４    呼出操作部
１５    制御部
１６    インタフェイス部
２０    戸内機
２１    モニタ
２２    スピーカ
２３    マイク
２４    記録部
２４ａ    バッファ
２４ｂ    メモリ
２５    モード切替操作部
２６    再生操作部
２７    制御部
２８    インタフェイス
３０    構内制御装置
３１    モニタ
３２    集中記録部
【図１】
2008182647.tif 000003
【図２】
2008182647.tif 000004